(57)【特許請求の範囲】
【請求項１】
上部に排液用の口部を有し、下部に自立可能な袴部を有するバッグで、当該袴部は、内側に折り畳んだ底部フィルムの底面部の両端部に側部フィルムを接合して円弧状の枠体として形成され、この袴部には吊り下げ部を設け、当該吊り下げ部がこの袴部の両下端縁部を結ぶブリッジ片で構成されたことを特徴とする自立可能な輸液用バッグ。
【請求項２】
ブリッジ片の頂部又は側部に吊り下げ孔を設けた請求項１記載の自立可能な輸液用バッグ。
【請求項３】
上部に排液用の口部を有し、下部に自立可能な袴部を有するバッグで、当該袴部は、内側に折り畳んだ底部フィルムの底面部の両端部に側部フィルムを接合して円弧状の枠体として形成され、この袴部には吊り下げ部を設け、当該吊り下げ部がこの袴部の両下端縁部を両側から切り込んで切り込み片として構成した自立可能な輸液用バッグ。
【請求項４】
上部に排液用の口部を有し、下部に自立可能な袴部を有するバッグで、当該袴部は、内側に折り畳んだ底部フィルムの底面部の両端部に側部フィルムを接合して円弧状の枠体として形成され、この袴部には吊り下げ部を設け、
当該吊り下げ部がこの袴部に形成した孔に通したリング紐で構成されている自立可能な輸液用バッグ。
【発明の詳細な説明】
【０００１】
【発明の属する技術分野】
本発明は、合成樹脂製の自立可能な輸液用バッグに関するものである。
【０００２】
【従来の技術】
従来の合成樹脂製輸液用バッグは多くの場合、偏平形状のものが提供されていた。
【０００３】
【発明が解決しようとする課題】
しかしながら、この種の合成樹脂製輸液用バッグは自立性がなかったため取り扱いが不便で、また寝かせなければいけないので輸液バッグに入った薬品の整理・保管上もかなりの不都合が生じていた。また従来の輸液バッグだとバッグ内部の輸液の液面の位置が一定化される効果が備わってなかったために排液スピードが必ずしも一定であるとは限らなかった。
【０００４】
この発明の課題は、排液スピードの安定化をはかった自立可能な輸液用バッグを提供するものである。
【０００５】
【課題を解決するための手段】
上記課題解決のため鋭意検討した結果、上部に排液用の口部を有し、下部に自立可能な袴部を有するバッグで、当該袴部は、内側に折り畳んだ底部フィルムの底面部の両端部に側部フィルムを接合して円弧状の枠体として形成され、この袴部には吊り下げ部を設けた自立可能な輸液用バッグを開発した。
【０００６】
【発明の実施の形態】
吊り下げ部は、特に限定されるものではないが、例えば、袴部の両下端縁部を結ぶブリッジ片で構成したり、そのブリッジ片の頂部に吊り下げ孔を設ける構成を採用することができる。また、袴部の両下端縁部を両側から切り込んで切り込み片として吊り下げ部を形成してもよい。また、袴部に形成した孔にリング紐を通し、このリング紐で構成することもできる。また、ブリッジ片の側部に吊り下げ孔を設けることによって吊り下げ部を形成してもよい
【０００７】
このように、この発明は、上部に排液用の口部を有し、下部に自立可能な袴部を有し、当該袴部を、内側に折り畳んだ底部フィルムの両面に側部フィルムを接合して円弧状となる枠体として形成し、この袴部に吊り下げ部を設けた輸液用バッグであるので、輸液がバッグ内に充填されると、その重量により底部フィルムを押し広げ、これに伴い、吊り下げ部も袴部の内部に収納できるので、袴部が円弧状の枠体として自立し得るものである。
【０００８】
従って、輸液を薬品棚等に立てて収納することができるため、保管上乃至取り扱い上きわめて便利である。また、使用に際しては、袴部内に収納された吊り下げ部を外部に引っぱり出し、これを引っかければよいので、簡単に作業できる。また、口部から輸液を排液するに際し、吊り下げ部をブリッジ片や切り込み片、さらにはリング紐として構成した場合は、この吊り下げ部がバッグ内の輸液の重量によって袴部に対して均等な折り畳み力を付与し、この力がバッグ内の輸液を均一に排液する作用を発揮するものである。従来の扁平型バッグではこの均一な折り畳み効果がなく、均一に排液するという点で問題があったのは前述した通りである。
【０００９】
【実施例】
図１はこの発明に係る輸液用バッグの一実施例を示す斜視図、図２は同バッグ底部の袴部が開いた状態を示す斜視図である。
図において、１は袴部、２は吊り下げ部、３は底部フィルム、４は側部フィルムである。
袴部１は、図２に示す様に、内側に折り畳んだ底部フィルム３の底面部３ａ、３ｂの両端部３ｃ、３ｄに側部フィルム４を接合して形成している。従って、底部フィルム３と側部フィルム４とが接合されたこの袴部１が円弧状の枠体となって自立可能な脚部を構成するものである。なお図１において、５は一対の側部フィルムの接合部、６は底部フィルム３の折り畳みライン、７は袴部１を円弧状にするための接合ラインである。因って、換言すれば、この接合ライン７より外側では底部フィルム３と側部フィルム４とが接合されており、その内側では接合されておらず、バッグの底面部を構成する様になっている。
この実施例の吊り下げ部２は、図示の様に、袴部１の一方側の中央部より他方側に向けて橋渡したブリッジ片で構成しており、その頂部２ａを融着して吊り下げ時の強度をアップさせるために補強している。
従って、この輸液用バッグは、バッグ内部に輸液を注入することにより輸液の自重によって底部フィルム３の非接合部分を押し広げ、底部フィルム３が開き、袴部１が広がることによって円弧状の枠体として足が出来る。またこれに伴い、吊り下げ部２も袴部１の内部に収納され、これによって袴部１でバッグの立脚が達成される。従ってこの容器の自立が可能となり、薬品棚等に本発明の容器を立てることが出来、整理・保管上大変便利なものとなる。
【００１０】
また、図３は本実施例の輸液用バッグを吊り下げた状態を示す斜視図である。図中、８は口部、９はキャップである。このようにして、本実施例の輸液用バッグを吊り下げ部２で吊り下げる。このように吊り下げると、図４に示す様に、輸液の自重が働くことによって、側部フィルム４にバッグを押し潰す▲１▼の力が作用し、それによって底部フィルム３を折り畳む様な外側からの押す応力▲２▼が働く。この輸液用バッグの底部を内側へ押し込む▲２▼の応力によって底部フィルム３は規則的に左右均等にたたみこまれていく。これにより内部の輸液の液面の位置が一定化され、結果として排液スピードの安定化へとつながる。図５は排液が完了してバッグが完全に畳み込まれた状態を示す断面図である。
なお、底部フィルム３の材質は、上述の点より、折りたたみぐせを付けやすいものという事で剛性のある材質がなお良い。
【００１１】
図６はこの発明に係る他実施例を示す輸液用バッグの斜視図である。図７は同底部の袴部が開いた状態を示す斜視図である。このバッグは、図示の通り、ブリッジ片の先端部を融着すると同時、その部分に吊り下げ孔１０を設けている。これによって、フック等への吊り下げ方向が前記実施例の方向の吊り下げに加えて、これと直角に交差する方向にも吊り下げが可能となり便利である。
なお、上記実施例及び前記実施例の輸液用バッグを製造する方法は、いずれも特に限定されないが、例えば袴部を大きくとり、これを左右両側からブリッジ片の吊り下げ部となる様に、逆Ｌ字及びＬ字に切断すれば得られる。
【００１２】
図８は他実施例の輸液用バッグを示す斜視図である。図９は同袴部が開いた状態を示す斜視図である。この実施例では、吊り下げ部１１は、袴部１の両下端縁部を両側から切り込んで形成している。図中、１２は切り込み部である。両側から挟み込んだ側部フィルムは周りしか融着していないので、袴部１の両下端縁部を両側から切り込んで形成した吊り下げ部１１は図９のように輪状になる。ここで形成された輪状部１３の両端をつまんで吊り下げ部とすることで、２つの吊り下げ部１１ａ、１１ｂができる。
この実施例の輸液用バッグも、吊り下げ部１を袴部１の内部に収納して立たせることができ、また吊り下げると、前記実施例と同様に、輸液の重量によってバッグを畳み込む力が作用し、均等な排液状態が得られる。
【００１３】
図１０は他実施例を示す輸液用バッグを示す斜視図である。図１１は同袴部が開いた状態を示す斜視図である。この実施例では、吊り下げ部１４は袴部１に形成した孔１５に通したリング紐１６で構成している。本発明の輸液バッグも、このリング紐１６を袴部１の内部に収納することで安定した自立状態が得られ、しかも均一排液性を奏することは前記実施例と同様である。
【００１４】
図１２は他実施例を示す輸液用バッグを示す斜視図である。図１３は同袴部が開いた状態を示す斜視図である。この実施例では、吊り下げ部１７がブリッジ片で構成され、その側部に吊り下げ孔１０を設けている。この実施例の吊り下げ部１７は、図示の様に、一方側の側部フィルム４の袴部１から他方側に向けて橋渡したブリッジ片で構成しており、その頂部１７ａを融着して吊り下げ時の強度をアップさせるために補強している。なお、袴部１との接合部における吊り下げ部１７は二股に分かれるように吊り下げ孔１０が形成されているために、吊り下げたときに吊り下げ部１７と袴部１との接合部にかかる力が分散され、接合部の傷みを軽減し、かつ安定した吊り下げ状態を得ることができる。図１４は、底部フィルム３が輸液用バッグの袴部１の内部に折り畳まれている様子を示した本実施例における側面断面図である。図１５は、本実施例の輸液用バッグを吊り下げた使用状態を示す斜視図である。また図１６は図１２における輸液用バッグ内部に輸液を注入することにより輸液の自重によって底部フィルム３の非接合部分が広がり、その結果、袴部１が広がることによって円弧状の枠体として足が出来ることにより自立させた状態を示す側面図、図１７は他方側面図及び断面図を示しており、またこれに伴い、吊り下げ部１７も袴部１の内部に収納されることにより立脚が達成されることは前記実施例と同様である。
【００１５】
【発明の効果】
以上の通り、本発明の輸液用バッグは、下部に自立可能な袴部を設け、その結果、内部に輸液を注入することにより輸液の自重によって底部フィルムが開き、袴部が広がることによって足が出来、自立可能となるので、薬品棚等に立てておくことが出来、整理・保管に効果的である。
また、吊り下げた際に輸液の自重が働くことによって、側部フィルムに均等に力が作用し底部フィルムを規則的に左右均等にたたみこみ内部の輸液の液面の位置が一定化され、結果として排液スピードを安定化させる効果がある。
【図面の簡単な説明】
【図１】この発明の一実施例に係る輸液用バッグの斜視図である。
【図２】同バッグの袴部が開いた状態を示す斜視図である。
【図３】同輸液用バッグの吊り下げ状態を示す斜視図である。
【図４】同吊り下げ状態におけるバッグの畳み込み状態を示す断面図である。
【図５】同排液終了状態を示すバッグの断面図である。
【図６】この発明の他実施例を示す斜視図である。
【図７】同バッグの袴部が開いた状態を示す斜視図である。
【図８】この発明の他実施例を示す斜視図である。
【図９】同バッグの袴部が開いた状態を示す斜視図である。
【図１０】この発明の他実施例を示す斜視図である。
【図１１】同バッグの袴部が開いた状態を示す斜視図である。
【図１２】この発明の他実施例を示す斜視図である。
【図１３】同バッグの袴部が開いた状態を示す斜視図である。
【図１４】同バッグの畳み込み状態を示す断面図である。
【図１５】同輸液用バッグの吊り下げ状態を示す斜視図である。
【図１６】同バッグの輸液を入れた際の自立状態を示す側面図である。
【図１７】同バッグの輸液を入れた際の自立状態を示す他方側面図及び断面図である。
【符号の説明】
１    袴部
２    吊り下げ部
３    底部フィルム
４    側部フィルム
８    口部
１０    吊り下げ孔
１１    吊り下げ部
１２    切り込み部
１４    孔
１５    リング紐
１７    吊り下げ部
【図１】
0003554418.tif 000002
【図２】
0003554418.tif 000003
【図３】
0003554418.tif 000004
【図４】
0003554418.tif 000005
【図５】
0003554418.tif 000006
【図６】
0003554418.tif 000007
【図７】
0003554418.tif 000008
【図８】
0003554418.tif 000009
【図９】
0003554418.tif 000010
【図１０】
0003554418.tif 000011
【図１１】
0003554418.tif 000012
【図１２】
0003554418.tif 000013
【図１３】
0003554418.tif 000014
【図１４】
0003554418.tif 000015
【図１５】
0003554418.tif 000016
【図１６】
0003554418.tif 000017
【図１７】
0003554418.tif 000018